(57)【特許請求の範囲】
【請求項１】
人体の局部を洗浄するために便器に装着される温水洗浄便座において、
ダイヤフラムを垂直締結して容積変化による洗浄水の噴出圧の変化を利用して給水源から洗浄水と共にエアを吸入する洗浄水吸入口を有するダイヤフラム脈動ポンプが形成され、
前記ダイヤフラム脈動ポンプは、
洗浄水とエアを供給する吸入口側のカバーと、
前記カバーに結合されて洗浄水を噴出及びエアを吸入するポートと、
前記ポートの下部に形成されて上下往復運動しながら洗浄水を吸入し、ポートで洗浄水を噴出させる噴出手段と、
前記噴出手段に連結されてギアの回転運動を往復運動に変換して噴出手段を上下往復運動させることができる作動手段と、
前記作動手段に連結され、噴出手段を上下往復運動させる作動手段を作動することができるように、駆動される駆動モータを含んで形成され、
前記ポートの内部には、噴出手段として洗浄水を供給するウォーターチェックバルブとエアを供給するエアチェックバルブとが締結されていることを特徴とする温水洗浄便座の脈動ポンプ装置。
【請求項２】
前記カバーには、噴出手段として洗浄水と共にエアが吸入することができるように、洗浄水吸入口が形成されることを特徴とする請求項１に記載の温水洗浄便座の脈動ポンプ装置。
【請求項３】
前記ポートには、洗浄水が噴出手段の上下往復運動により噴出することができるように、噴出口が形成されることを特徴とする請求項１に記載の温水洗浄便座の脈動ポンプ装置。
【請求項４】
前記ポートの下部には、噴出手段が流動なしに円滑に上下往復運動ができるように噴出手段を結合するスクリューが形成されていることを特徴とする請求項１に記載の温水洗浄便座の脈動ポンプ装置。
【請求項５】
前記噴出手段は、
前記ポートの下部に形成されて洗浄水及びエアを吸入して排出させることができるダイヤフラムと、
前記ダイヤフラムの外側に結合され、ダイヤフラムの離脱防止及び離脱による破損を防止するガイドダイヤフラムと、
前記ガイドダイヤフラムの下部に形成され、ダイヤフラムが挿入されながらダイヤフラムから供給される洗浄水を受けてダイヤフラムが洗浄水を圧力噴出し、洗浄水供給時に洗浄水がポートの噴出口を介して圧力噴出することができるダイヤフラムケースで形成されることを特徴とする請求項１に記載の温水洗浄便座の脈動ポンプ装置。
【請求項６】
前記ガイドダイヤフラムとダイヤフラムケースとの間にはダイヤフラムケースの体積内においてダイヤフラムの上下往復運動により体積膨脹時に漏水を防止することができるピストンルーバーが形成されることを特徴とする請求項５に記載の温水洗浄便座の脈動ポンプ装置。
【請求項７】
前記ダイヤフラムは、内側にエアが混入できるように少なくとも一つの空気室が形成されることを特徴とする請求項５に記載の温水洗浄便座の脈動ポンプ装置。
【請求項８】
前記作動手段は、
前記噴出手段がダイヤフラムに装着され、駆動モータの駆動により噴出手段を上下往復運動させることができるムーブと、
前記ムーブに結合されるムーブプレートと、
前記駆動モータのシャフトに嵌め込まれて駆動モータの駆動により回転するウォームと、
前記ウォームに噛み合わされるウォームホイールと。
前記ウォームホイールにムーブプレートが結合され、その軸に嵌合されてギアの回転運動を往復運動に変えるスリップギアに形成されることを特徴とする請求項１に記載の温水洗浄便座の脈動ポンプ装置。
【請求項９】
前記ムーブの下部には、ムーブが上下往復運動をする際に駆動モータにより水が浸透されることを防止することができるパッキングが形成されることを特徴とする請求項８に記載の温水洗浄便座の脈動ポンプ装置。
【請求項１０】
前記ムーブには、ムーブプレートからムーブが離脱されないように、ムーブロックが形成されることを特徴とする請求項８に記載の温水洗浄便座の脈動ポンプ装置。
【請求項１１】
前記ウォームには、駆動モータが駆動する際に発生する衝撃騷音防止及び遊撃を緩和することができるように、ブッシングが形成されることを特徴とする請求項８に記載の温水洗浄便座の脈動ポンプ装置。
【請求項１２】
前記ウォームホイールは、ムーブが上下往復運動しながら噴出手段を上下に作動できるように回転軸が偏心され、前記ウォームにギアピンで固定されることを特徴とする請求項８に記載の温水洗浄便座の脈動ポンプ装置。
【請求項１３】
前記作動手段の外部には、作動手段を保護することができるようにケース下板が形成され、前記ケース下板には駆動モータが載置され、ケース上板が一体化されることを特徴とする請求項１に記載の温水洗浄便座の脈動ポンプ装置。
【発明の詳細な説明】
【技術分野】
【０００１】
本発明は、温水洗浄便座の脈動ポンプ装置に関し、より詳しくは、人体の局部を洗浄する目的を有する温水洗浄便座の使用において、ダイヤフラムの脈動ポンプを用いることで洗浄水使用量を著しく減少することができると共に、高い吐水圧でノズルから吐出される水玉を大きくして洗浄力を極大化し、且つエアを混入させ優しい洗浄力で使用者に安楽感を与えることができる温水洗浄便座の脈動ポンプ装置(Pulsation pump apparatus of bidet)に関する。
【背景技術】
【０００２】
一般に温水洗浄便座は便器に装着されるものあって、ここにおける便器とは使用者の用便を楽な姿勢で排泄できる器具である。
【０００３】
そして、温水洗浄便座は便器に設置され、より楽に用便を済ませた後の後始末のために開発されたものである。
【０００４】
このような温水洗浄便座は、便器のシート及びカバーから構成され、便器のシートを暖かくするか、または使用者の選択により水を利用して人の肛門または局部を洗浄した上、水気を乾かす。
【０００５】
ここで肛門または局部を洗浄することは、水槽の水を、ノズルを介して噴射させて肛門または局部を洗浄することをいう。
【０００６】
従来の温水洗浄便座用ウォータポンプはダイヤフラム方式のポンプを用いていた。
【０００７】
しかしながら、従来のポンプは、モータと連結された傾斜ピンの偏心回転によりローリングプレートが上下搖動しながら内部の体積を収縮及び膨脹させるダイヤフラムにより吸気と排気を繰り返しながらポンピングしていた。
【０００８】
しかしながら、このような脈動を発生するダイヤフラムの容積が小さく、傾斜ピンにより偏心された上下搖動するローリングプレート方式は、大きい水玉を生成するのに適合しないという問題点があった。
【先行技術文献】
【特許文献】
【０００９】
【特許文献１】大韓民国特許出願公開第10-1999-0033778号明細書
【発明の概要】
【発明が解決しようとする課題】
【００１０】
したがって、本発明は、上記問題を解決するために案出されたものであって、その目的は、第一に、温水洗浄便座にダイヤフラム脈動ポンプを使用することで、人体の局部を洗浄するための洗浄水の使用量を最小化することができ、洗浄水の無駄使いを防止し、経済的効率を高めることができる。
【００１１】
第二に、局部洗浄時に脈動水流を生成することで間欠的なリズム感でマッサージ効果を得ることができ、製品の効率性を最大化することができる。
【００１２】
第三に、ダイヤフラム脈動ポンプにより吐水量を最小化することができると共に、洗浄力を高めることができ、製品の性能を最大化することができる。
【００１３】
第四に、洗浄水噴出時にエアを混入することで、洗浄水で局部を洗浄する際に柔らかい洗浄力を感じることができ、使用者への安楽さ及び信頼感を最大化することができる温水洗浄便座の脈動ポンプ装置を提供することにある。
【課題を解決するための手段】
【００１４】
上記目的を達成するために本発明は、人体の局部を洗浄するための温水洗浄便座において、ダイヤフラムを垂直締結して容積変化による洗浄水の噴出圧の変化を利用するダイヤフラム脈動ポンプを用いることを特徴とする。
【００１５】
前記ダイヤフラム脈動ポンプは、洗浄水とエアを供給する吸入口側のカバーと、前記吸入口側のカバーに結合されて洗浄水を噴出及びエアを吸入するポートと、前記ポートに結合されて洗浄水及びエアを吸入して噴出する噴出手段と、前記噴出手段に連結されて噴出手段を上下往復運動で作動させる作動手段と、前記作動手段に結合され、作動手段を駆動させることができる駆動モータと、を含んで形成されることを特徴とする。
【００１６】
また、前記噴出手段は、ポートに洗浄水及びエアを吸入して排出させることができるダイヤフラムが形成され、前記ダイヤフラムの外側にダイヤフラムの離脱及び離脱による破損を防止できるようにガイドダイヤフラムが結合され、前記ガイドダイヤフラム下部にダイヤフラムが挿入されながらダイヤフラムから供給される洗浄水を受けてダイヤフラムが洗浄水を圧力噴出し、チェックバルブを介して洗浄水供給時に洗浄水がポートを介して圧力噴出することができるダイヤフラムケースが形成されることを特徴とする。
【００１７】
一方、前記ポートには、前記ダイヤフラムに水を供給するエアチェックバルブとウォーターチェックバルブが締結される。
【００１８】
そして、前記ガイドダイヤフラムとダイヤフラムケースとの間にダイヤフラムケース体積内でダイヤフラムの上下往復運動により体積膨脹時に漏水が防止できるようにピストンルーバーが形成されることを特徴とする。
【００１９】
また、前記作動手段はダイヤフラムに駆動モータの駆動で噴出手段を上下往復運動することができるムーブが固定され、前記ムーブにムーブプレートがムーブロックで固定され、前記駆動モータのシャフトにウォームが嵌合され、前記ウォームに回転軸が偏心されているウォームホイールが噛み合いながらギアピンに固定され、前記ウォームホイールの偏心された軸にムーブプレートが結合されながらスリップギアが嵌め込まれてギアの回転運動を往復運動に変えることを特徴とする温水洗浄便座の脈動ポンプ装置を提供することにある。
【発明の効果】
【００２０】
このように本発明は、人体の局部を洗浄する温水洗浄便座にモータの駆動により上下往復運動しながら洗浄水とエアを吸入し、噴出するダイヤフラム脈動ポンプを形成することで使用者が温水洗浄便座を利用した局部洗浄時に脈動水流を生成して間欠的なリズム感でマッサージ効果と共に従来の一般的な温水洗浄便座と異なる、少ない吐水量で洗浄力を最大化することができ、製品の性能を最大化する効果がある。
【００２１】
また、本発明は、洗浄水と共にエア混入をすることにより柔らかい洗浄力を感じることができて使用者に安楽さ及び信頼感を最大化する効果がある。
【００２２】
また、本発明は、温水洗浄便座にダイヤフラム脈動ポンプを使用することで製品の原価を節減することができ、経済性を最大化する効果がある。
【図面の簡単な説明】
【００２３】
【図１】本発明による温水洗浄便座のダイヤフラム脈動ポンプを示す斜視図である。
【図２】本発明による温水洗浄便座のダイヤフラム脈動ポンプを示す分解斜視図である。
【図３】本発明によるダイヤフラム脈動ポンプの作動手段を示す分解斜視図である。
【図４】本発明によるダイヤフラム脈動ポンプの噴出手段を示す分解斜視図である。
【図５】本発明によるダイヤフラム脈動ポンプの噴出手段を示す結合断面図である。
【図６】本発明によるダイヤフラム脈動ポンプの作動手段と噴出手段を示す作動例示図である。
【発明を実施するための形態】
【００２４】
以下に添付図面を参照しながら、本発明の好適な実施の形態について詳細に説明する。
【００２５】
図１は本発明による温水洗浄便座のダイヤフラム脈動ポンプを示す斜視図であり、図２は本発明による温水洗浄便座のダイヤフラム脈動ポンプを示す分解斜視図であり、図３は本発明によるダイヤフラム脈動ポンプの作動手段を示す分解斜視図であり、図４は本発明によるダイヤフラム脈動ポンプの噴出手段を示す分解斜視図であり、図５は本発明によるダイヤフラム脈動ポンプの噴出手段を示す結合断面図であり、図６は本発明によるダイヤフラム脈動ポンプの作動手段と噴出手段を示す作動例示図である。
【００２６】
図１ないし図５に示すように、本発明は人体の局部を洗浄するために便器に装着された温水洗浄便座において、ダイヤフラム１３１を垂直締結して容積変化による洗浄水の噴出圧の変化を利用して給水源から洗浄水と共にエアを吸入する洗浄水吸入口１１１を有するダイヤフラム脈動ポンプ１００が形成される。
【００２７】
前記ダイヤフラム脈動ポンプ１００は、洗浄水を供給する吸入口側のカバー１１０と、前記カバー１１０に結合されて洗浄水を噴出及びエアを吸入するポート１２０と、前記ポート１２０の下部に形成されて上下往復運動しながら洗浄水を吸入してポート１２０で洗浄水を噴出させる噴出手段１３０と、前記噴出手段１３０に連結されてギアの回転運動を往復運動に変換して噴出手段１３０を上下往復運動させることができる作動手段１４０と、前記作動手段１４０に連結され、噴出手段１３０を上下往復運動させる作動手段１４０を作動させるように駆動される駆動モータ１５０と、を含んで形成される。
【００２８】
前記カバー１１０には、噴出手段１３０として洗浄水と共にエアが吸入されることができる洗浄水吸入口１１１が形成される。
【００２９】
前記ポート１２０には、カバー１１０の洗浄水吸入口１１１に吸入される洗浄水が噴出手段１３０により噴出されることができる噴出口１２１が形成される。
【００３０】
また、前記ポート１２０の内部には噴出手段１３０で洗浄水とエアを供給するウォーターチェックバルブ１２２とエアチェックバルブ１２３が締結される。
【００３１】
そして、前記ポート１２０の下部には、噴出手段１３０が流動なしに、円滑に上下往復運動ができるように噴出手段１３０を結合するスクリュー１２４が形成される。
【００３２】
前記噴出手段１３０は、ポート１２０下部に形成されて洗浄水及びエアを吸入して排出させることができるダイヤフラム１３１と、前記ダイヤフラム１３１の外側に結合されてダイヤフラム１３１の離脱及び離脱による破損を防止するガイドダイヤフラム１３３と、前記ガイドダイヤフラム１３３の下部に形成され、ダイヤフラム１３１が挿入されながらダイヤフラム１３１から供給される洗浄水を受けてダイヤフラム１３１が洗浄水を圧力噴出し、チェックバルブ（図示せず）を介して洗浄水供給時に、洗浄水がポート１２０の噴出口１２１を介して圧力噴出されるダイヤフラムケース１３４と、を含んで形成される。
【００３３】
また、前記ガイドダイヤフラム１３３とダイヤフラムケース１３４との間には、ダイヤフラムケース１３４の体積内でダイヤフラム１３１の上下往復運動により体積膨脹時に漏水が防止できるようにピストンルーバー１３５が形成される。
【００３４】
前記ダイヤフラム１３１は、内側にエアが混入されるように少なくとも一つの空気室１３２を形成する。
【００３５】
前記作動手段１４０は、ダイヤフラム１３１に装着されて駆動モータ１５０の駆動により噴出手段１３０を上下往復運動させることができるムーブ１４１と、前記ムーブ１４１に結合されるムーブプレート１４２と、前記駆動モータ１５０のシャフト１５１に嵌め込まれて駆動モータ１５０の駆動により回転するウォーム１４３と、前記ウォーム１４３に噛み合わされるウォームホイール１４４と、前記ウォームホイール１４４にムーブプレート１４２が結合されてその軸に嵌合されてギアの回転運動を往復運動に変えるスリップギア１４５を含んで形成される。
【００３６】
前記ムーブ１４１の下部には、ムーブ１４１が往復運動を行う際に駆動モータ１５０で水が浸透されるのを防止するパッキング１４６が形成されることが好ましい。
【００３７】
また、前記ムーブ１４１には、ムーブプレート１４２からムーブ１４１が離脱されないように固定ピン役割をするムーブロック１４７が形成される。
【００３８】
前記駆動モータ１５０のシャフト１５１に結合されるウォーム１４３には、駆動モータ１５０が駆動する際に発生する衝撃騷音防止及び遊撃を緩和させるブッシング１４８が形成される。
【００３９】
前記ウォームホイール１４４は、ウォーム１４３にギアピン１４９により固定される。
【００４０】
また、前記ウォームホイール１４４は、ムーブ１４１が上下往復運動しながら噴出手段１３０を上下に作動させるように回転軸が偏心される。
【００４１】
一方、前記作動手段１４０の外部には、作動手段１４０を保護するケース下板１６０が形成される。
【００４２】
また、前記ケース下板１６０には、駆動モータ１５０が載置されるケース上板１６１がケース下板１６０と一体化されている。
【００４３】
以下に、上記のような構成からなる本発明による作用状態を説明する。
【００４４】
前記吸入口側のカバー１１０に形成される洗浄水吸入口１１１を介して給水源から洗浄水と共にエアが流入し、前記洗浄水吸入口１１１に流入した洗浄水はダイヤフラム１３１に流入する。
【００４５】
また、前記カバー１１０に形成される洗浄水吸入口１１１にエアが混入されながらポート１２０を経てダイヤフラム１３１の空気室１３２に流入する。
【００４６】
このとき、前記洗浄水吸入口１１１に流入する洗浄水とエアは、それぞれウォーターチェックバルブ１２２とエアチェックバルブ１２３によって混入される量を調節することができる。
【００４７】
これにより、前記ダイヤフラム１３１に流入する洗浄水とエアの量をウォーターチェックバルブ１２２とエアチェックバルブ１２３で必要に応じて調節することができ、洗浄水の無駄使いを防止することができる。
【００４８】
そして、前記駆動モータ１５０の駆動によりシャフト１５１が回転しながらシャフト１５１に結合されたウォーム１４３が回転し、前記ウォーム１４３の回転によりウォーム１４３に噛み合わされるウォームホイール１４４が回転する。
【００４９】
このとき、前記ウォームホイール１４４の回転軸が偏心しているので、前記ウォームホイール１４４の偏心した軸に結合されているムーブプレート１４２とスリップギア１４５が回転運動ではなく、往復運動をする。
【００５０】
このように、前記ムーブプレート１４２とスリップギア１４５が往復運動をすることにより前記ムーブ１４１が上下往復運動をする。
【００５１】
そして、前記ムーブ１４１が上下に往復運動をすることで、前記ムーブ１４１に固定されるダイヤフラム１３１が上下に往復運動する。
【００５２】
したがって、前記ダイヤフラム１３１が上下往復運動をすることで、ダイヤフラム１３１に流入する洗浄水とエアがダイヤフラムケース１３４を経てポート１２０に形成された噴出口１２１を介して高い圧力で噴出するようになる。
【００５３】
また、前記ダイヤフラム１３１は、ダイヤフラム１３１の内側とダイヤフラムケース１３４の噴出チェックバルブを有し、単一方向の噴出口１２１を用いることで洗浄水の圧力損失を最小化することができる。
【００５４】
一方、前記ガイドダイヤフラム１３３とダイヤフラムケース１３４との間にピストンルーバー１３５を形成することで、前記ピストンルーバー１３５によりダイヤフラムケース１３４の体積内においてダイヤフラム１３１の上下往復運動による体積膨脹時の漏水を防止することができる。
【００５５】
これと共に、前記駆動モータ１５０の駆動により作動手段１４０が回転運動ではない往復運動に変わって前記作動手段１４０に連結されて洗浄水を噴出させる噴出手段１３０も上下往復運動をしながら局部洗浄時に脈動水流を生成することで、間欠的なリズム感でマッサージ効果を得ることができる。
【００５６】
そして、本発明による温水洗浄便座は、前記洗浄水吸入口１１１に洗浄水と共にエアが流入されながらウォーターチェックバルブ１２２とエアチェックバルブ１２３により洗浄水とエアとの流入量を調節することができ、前記駆動モータ１５０の駆動で作動手段１４０と噴出手段１３０が上下往復運動をしながら前記ダイヤフラム１３１に混入される洗浄水が、単一方向の噴出口１２１を介して圧力噴出するダイヤフラム脈動ポンプ１００を使用することになり、高い吐水圧でノズルから吐出される水玉を大きくして洗浄力を最大化させることができると共に、エアの混入により使用者が優しい洗浄力を感じることができる。
【００５７】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００５８】
１００    ダイヤフラム脈動ポンプ
１１０    カバー
１１１    洗浄水吸入口
１２０    ポート
１２１    噴出口
１２２    ウォーターチェックバルブ
１２３    エアチェックバルブ
１２４    スクリュー
１３０    噴出手段
１３１    ダイヤフラム
１３２    空気室
１３３    ガイドダイヤフラム
１３４    ダイヤフラムケース
１３５    ピストンルーバー
１４０    作動手段
１４１    ムーブ
１４２    ムーブプレート
１４３    ウォーム
１４４    ウォームホイール
１４５    スリップギア
１４６    パッキング
１４７    ムーブロック
１４８    ブッシング
１４９    ギアピン
１５０    駆動モータ
１５１    シャフト
１６０    ケース下板
１６１    ケース上板
【図１】
0005625091.tif 000002
【図２】
0005625091.tif 000003
【図３】
0005625091.tif 000004
【図４】
0005625091.tif 000005
【図５】
0005625091.tif 000006
【図６】
0005625091.tif 000007